(57)【特許請求の範囲】
【請求項１】
表紙と本が、第１の接着層と第２の接着層により接着され、
ベースフィルムと、前記ベースフィルム上に形成されたアンテナと、前記アンテナに接続するＩＣチップと、を有するＩＣタグを、前記第１の接着層と前記第２の接着層で挟んで設け、
前記ＩＣタグが、複数個の孔または切り込みを有し、
前記第１の接着層、および前記第２の接着層は難細裂性の接着剤からなり、
前記孔または前記切り込みを前記接着剤が貫通して前記第１の接着層と前記第２の接着層とが接触することを特徴とする書籍。
【請求項２】
前記第１の接着層および第２の接着層がホットメルト接着剤からなることを特徴とする請求項１記載の書籍。
【請求項３】
本の背中部に第１の接着層を形成する工程（ａ）と、
ベースフィルムと、前記ベースフィルム上に形成されたアンテナと、前記アンテナに接続するＩＣチップと、を有し、前記アンテナまたは前記ベースフィルムに孔または切り込みを有するＩＣタグを、前記背中部に取り付ける工程（ｂ）と、
前記背中部に第２の接着層を形成する工程（ｃ）と、
前記背中部に表紙を固定する工程（ｄ）と、
を具備し、
前記第１の接着層および前記第２の接着層は難細裂性の接着剤からなり、
前記孔または前記切り込みを前記接着剤が貫通して前記第１の接着層と前記第２の接着層とが接触することを特徴とする書籍の製造方法。
【請求項４】
表紙と本が、第１の接着層と第２の接着層により接着され、
ベースフィルムと、前記ベースフィルム上に形成されたアンテナと、前記アンテナに接続するＩＣチップと、を有するＩＣタグを、前記第１の接着層と前記第２の接着層で挟んで設け、
前記ＩＣタグが、複数個の孔または切り込みを有し、
前記第１の接着層、および前記第２の接着層は難細裂性の接着剤からなり、
前記孔または前記切り込みを前記接着剤が貫通して前記第１の接着層と前記第２の接着層とが接触する書籍を、
古紙再生時の離解工程において前記書籍の前記第１の接着層と前記第２の接着層とを細裂化させずに、除塵工程において前記第１の接着層、前記第２の接着層、前記ベースフィルム、前記アンテナおよび前記ＩＣチップをまとめて除去することを特徴とする書籍の再生方法。
【発明の詳細な説明】
【技術分野】
【０００１】
本発明は、古紙リサイクルに適したＩＣタグ付き書籍などに関する。
【背景技術】
【０００２】
近年、バーコードに代えて、非接触で情報の読み出しおよび書き込みが可能なＩＣタグ（ＲＦＩＤタグ、無線タグ、非接触ＩＣ，非接触ＩＣタグなどと表現することもあるが、本明細書では総称して、「ＩＣタグ」とする。）を商品に付して市場で必要なさまざまな情報の管理を可能にすることが提案されている。書籍においても、ＩＣタグを取り付け、万引き防止機能を付与するのみならず、それらの流通や在庫・販売時点においても必要なさまざまな情報管理をすることが考えられている。そのため、書籍の販売段階でＩＣタグを取り付ける煩を避け、印刷または製本の工程でＩＣタグを取り付ける（例えば、特許文献１参照）。
【０００３】
また、資源の有効利用を行うべく、書籍をはじめとする古紙から再生パルプを製造することが行われている。再生パルプの製造方法としては、古紙原料をパルパーで離解して繊維化する離解工程、得られたパルプ懸濁液からスクリーンにて異物を除去する除塵工程、パルプ懸濁液からフローテーターにてインキ成分を除去する脱墨工程を行い、漂白処理を経て再生パルプを得るのが一般的である（例えば、特許文献２参照）。
【０００４】
【特許文献１】特開２００４−２４９４９２号公報（第３頁）
【特許文献２】特開２００６−１８３２１０号公報（第２頁）
【発明の開示】
【発明が解決しようとする課題】
【０００５】
しかしながら、ＩＣタグのアンテナはアルミニウムなどの金属からなり、ＩＣタグのＩＣチップはシリコンからなるため、ＩＣタグのアンテナやＩＣチップは古紙再生工程においては不純物となる。アンテナやＩＣチップは、離解工程において１０〜２０μｍまで粉砕される。しかし、除塵工程においては、直径５０μｍ以上の不純物が除去され、脱墨工程においては、直径１０μｍ以下の粒子が除去される。そのため、古紙再生工程において、アンテナやＩＣチップの破片は除去されず、再生パルプに混入してしまうという問題があった。
【０００６】
本発明は、前述した問題点に鑑みてなされたもので、その目的とすることは、ＩＣタグのアンテナやＩＣチップが再生パルプに混入しにくいようにＩＣタグを取り付けた書籍などである。
【課題を解決するための手段】
【０００７】
前述した目的を達成するための第１の発明は、表紙と本が、第１の接着層と第２の接着層により接着され、ベースフィルムと、前記ベースフィルム上に形成されたアンテナと、前記アンテナに接続するＩＣチップと、を有するＩＣタグを、前記第１の接着層と前記第２の接着層で挟んで設け、前記ＩＣタグが、複数個の孔または切り込みを有し、前記第１の接着層、および前記第２の接着層は難細裂性の接着剤からなり、前記孔または前記切り込みを前記接着剤が貫通して前記第１の接着層と前記第２の接着層とが接触することを特徴とする書籍である。
また、前記第１の接着層および第２の接着層がホットメルト接着剤からなることが好ましい。
【０００８】
第２の発明は、本の背中部に第１の接着層を形成する工程（ａ）と、ベースフィルムと、前記ベースフィルム上に形成されたアンテナと、前記アンテナに接続するＩＣチップと、を有し、前記アンテナまたは前記ベースフィルムに孔または切り込みを有するＩＣタグを、前記背中部に取り付ける工程（ｂ）と、前記背中部に第２の接着層を形成する工程（ｃ）と、前記背中部に表紙を固定する工程（ｄ）と、を具備し、前記第１の接着層および前記第２の接着層は難細裂性の接着剤からなり、前記孔または前記切り込みを前記接着剤が貫通して前記第１の接着層と前記第２の接着層とが接触することを特徴とする書籍の製造方法である。
【０００９】
第３の発明は、表紙と本が、第１の接着層と第２の接着層により接着され、ベースフィルムと、前記ベースフィルム上に形成されたアンテナと、前記アンテナに接続するＩＣチップと、を有するＩＣタグを、前記第１の接着層と前記第２の接着層で挟んで設け、前記ＩＣタグが、複数個の孔または切り込みを有し、前記第１の接着層、および前記第２の接着層は難細裂性の接着剤からなり、前記孔または前記切り込みを前記接着剤が貫通して前記第１の接着層と前記第２の接着層とが接触する書籍を、古紙再生時の離解工程において前記書籍の前記第１の接着層と前記第２の接着層とを細裂化させずに、除塵工程において前記第１の接着層、前記第２の接着層、前記ベースフィルム、前記アンテナおよび前記ＩＣチップをまとめて除去することを特徴とする書籍の再生方法である。
【発明の効果】
【００１０】
本発明によれば、ＩＣタグのベースフィルムは、孔を有するため、製本工程において、ＩＣタグのベースフィルムは、接着剤が孔を貫通し、ＩＣタグのアンテナとＩＣチップとベースフィルムは接着剤と絡み合い、一体化する。そのため、古紙再生工程の除塵工程において、ＩＣタグのアンテナとＩＣチップとベースフィルムは、接着剤と一体化した状態で除去され、再生パルプへのアンテナとＩＣチップの破片の混入を防止することができる。
【発明を実施するための最良の形態】
【００１１】
以下図面に基づいて、本発明の実施形態を詳細に説明する。
【００１２】
第１の実施形態に係る書籍１について説明する。
なお、請求項における第１の接着層は接着層５ａに、第２の接着層は接着層５ｂにそれぞれ対応し、本は、丁合本４により構成される。
【００１３】
図１（ａ）は図２（ｅ）のＡ矢視図であり、丁合本４に表紙９を固定した直後である。丁合本４に接着層５ａを介して接着されているＩＣタグ６ａが、ＩＣタグ６ａ取り付け後に形成された接着層５ｂに覆われている。ＩＣタグ６ａは、ベースフィルム１７と、その上に形成されたアンテナ１５と、それに接続されたＩＣチップ１３と、からなる。ベースフィルム１７は、孔２０を有している。
【００１４】
図１（ｂ）は書籍１の図２（ｆ）のＢ矢視図であり、ベースフィルム１７の孔２０を、接着層５ａが貫通して接着層５ｂと接触している。接着層５ａと５ｂは、ＩＣタグ６ａと一体化しており、ＩＣチップ１３とアンテナ１５とベースフィルム１７を包埋している。
【００１５】
接着層５ａまたは５ｂに用いる接着剤としては、古紙再生工程で細裂化しにくく、スクリーンなどの除塵設備を通過しない難細裂性のホットメルト接着剤であれば特に限定されないが、より好ましくは、ポリウレタン樹脂、エチレン−酢酸ビニル共重合樹脂、塩化ビニル樹脂、酢酸ビニル樹脂、ポリエチレン樹脂、ポリプロピレン樹脂および、これらを混合した樹脂である。
【００１６】
また、接着層５ａまたは５ｂに用いる接着剤として、難細裂性の反応性接着剤を用いることもできる。例えば、ビスフェノールＡとエピクロルヒドリンの共重合体に、ポリアミンや酸無水物などの硬化剤を添加したエポキシ接着剤、イソシアネート基を有する変性ウレタンポリマーといった１液型のウレタン接着剤、ポリエステルポリオールやポリエーテルポリオールといった主剤にポリイソシアネートといった硬化剤を加えた２液型のウレタン接着剤、シアノアクリル酸エステルモノマーといったアクリル瞬間接着剤などを挙げることができる。硬化前の接着剤が、孔２０を貫通した状態で硬化することで、接着層５ａと５ｂがＩＣタグ６ａを一体化可能である。
【００１７】
ベースフィルム１７としては、ＰＥＴ（ポリエチレンテレフタレート）、ＰＥＮ（ポリエチレンナフタレート）、ＰＥＴ‐Ｇ（テレフタル酸‐シクロヘキサンジメタノール‐エチレングリコール共重合体）、ＰＰ（ポリプロピレン）、ＰＥ（ポリエチレン）、ＰＣ（ポリカーボネート）、ＰＡ（ポリアミド）、ＰＰＳ（ポリフェニレンサルフイド）、ポリ塩化ビニル、塩化ビニル‐酢酸ビニル共重合体、セルロースジアセテート、セルローストリアセテート、ポリスチレン系、ＡＢＳ（アクリロニトリル‐ブタジエン‐スチレン共重合体）、ポリアクリル酸エステル、ポリエチレン、ポリウレタンなどの素材が使用される。
【００１８】
アンテナ１５は、ベースフィルム１７上にパターン形成されたアルミニウムや銅などの金属の膜からなる、平面コイル状またはダイポール型のアンテナである。ＩＣチップ１３はアンテナ１５に、接続されている。
【００１９】
ＩＣタグ６ａに粘着層を設ける場合には、粘着層に用いる粘着剤は、水または弱アルカリ性水溶液中で、細かく分散するとともに非粘着化する粘着剤からなり、再生パルプに悪影響を与えない。ポリアクリル酸エステル、二トリルゴム、天然ゴム、シリコーン粘着剤、ポリ塩化ビニルなどの各種材料およびそれらの水性エマルジョン系の接着剤を使用する。
【００２０】
孔２０は、ベースフィルム１７に設けられた貫通孔である。詳細は後述する。
【００２１】
図２は、書籍１の製本工程を示す図である。図２（ａ）に示すように、一冊分のページがそろった丁合本４の背中部に、ロールコーター７により接着層５ａに用いる接着剤を丁合本４の背中部に塗布する。なお、丁合本４は、製本工程が完了するまで、クランパー（図示せず）により束ねられている。
【００２２】
その後、図２（ｂ）に示すように、ＩＣタグ６ａが丁合本４に固定される。この際、丁合本４の背中部には接着層５ａが形成されているため、ＩＣタグ６ａに粘着層などを設けなくてもよい。また、ＩＣタグ６ａの周囲は、接着層５ａと５ｂに完全に覆われるので、ベースフィルム１７を丁合本４の外側に向けてもよく、内側に向けてもよい。
【００２３】
図２（ｃ）に示すように、ロールコーター７により、再度接着層５ｂを丁合本４の背中部に塗布する。この際、ＩＣタグ６ａの上に接着層５ｂが塗布され、ＩＣタグ６ａは、接着層５ａと接着層５ｂにはさまれる。図１（ａ）に示すように、接着層５ｂは、孔２０を通って、接着層５ａに接触する。
【００２４】
図２（ｄ）に示すように折り目１１を有する表紙９を丁合本４に接着層５を介して固定する。固定後の表紙９と丁合本４の位置関係は図２（ｅ）に示すようになる。その後、図２（ｆ）に示すように、表紙９を折り目１１にしたがって折る。
【００２５】
接着層５ａ，５ｂにホットメルト接着剤を用いた場合、図２（ｅ）や図２（ｆ）において、表紙９の背表紙部を再加熱し、接着層５ａ，５ｂとＩＣタグ６ａの一体化をより強固にしてもよい。
【００２６】
また、接着層５ａ、５ｂの形成は、接着剤の塗布だけでなく、熱可塑性樹脂シートの積層によってもよい。
【００２７】
熱可塑性樹脂シートの積層では、表紙９の背表紙部に熱可塑性樹脂シートを置き、更にその上にＩＣタグ６ａと熱可塑性樹脂シートを置き、更に丁合本４を置き、背表紙部を加熱することにより、書籍１の製本が行われる。熱可塑性樹脂シートとしては、ポリウレタン樹脂、エチレン−酢酸ビニル共重合樹脂、塩化ビニル樹脂、酢酸ビニル樹脂、ポリエチレン樹脂、ポリプロピレン樹脂および、これらを混合した樹脂などの熱可塑性樹脂を用いることができる。また、熱可塑性樹脂シートやＩＣタグ６ａを固定するため、粘着剤を用いてもよい。粘着剤としては、ポリアクリル酸エステル、ニトリルゴム、天然ゴム、シリコーン粘着剤、ポリ塩化ビニルなどの各種材料およびそれらの水性エマルジョンを使用する。熱可塑性樹脂を貼着した後、被着物を載せ、加熱により熱可塑性樹脂を軟化させ、被着物の接着物を固定する。
【００２８】
図３（ａ）は、第１の実施の形態に係るＩＣタグ６ａの図である。ＩＣタグ６ａは、アンテナ１５を有するベースフィルム１７の周辺部に、四角形の孔２０が設けられている。孔２０は、ベースフィルム１７を貫通しており、孔２０を通じて、ＩＣタグ６ａをはさむ接着層５ａと接着層５ｂが接触可能になり、ＩＣチップ１３とアンテナ１５の接着層５ａと５ｂへの一体化が促進される。なお、孔２０は、四角形だけでなく、丸状でも三角形状でよい。また、孔２０をアンテナ１５に設けてもよく、その際にはアンテナ１５を断線しないように孔２０の配置に注意を払う必要がある。
【００２９】
図３（ｂ）は、第２の実施の形態に係るＩＣタグ６ｂの図である。ＩＣタグ６ｂには、ベースフィルム１７にスプロケットホール２１が設けられている。スプロケットホール２１は、ベースフィルム１７を貫通する四角状の孔であり、スプロケットホール２１にスプロケットの歯が噛んでＩＣタグ６を搬送する。スプロケットホール２１も、孔２０と同様に作用する。通常は、スプロケットホール２１の部分は、ＩＣタグ６ｂの貼付前に切り落とされるが、第２の実施の形態においては、スプロケットホール２１を切り落とさずに用い、ＩＣチップ１３とアンテナ１５の接着層５ａと５ｂへの一体化が促進させる。
【００３０】
図３（ｃ）は、第３の実施の形態にかかるＩＣタグ６ｃの図である。ＩＣタグ６ｃには、ベースフィルム１７およびアンテナ１５に切り込み２２が設けられている。切り込み２２はベースフィルム１７を貫通している「−」状のスリットである。切り込み２２は、アンテナ１５にも設けられているが、アンテナ１５は断線していない。なお、切り込み２２は、「−」状だけでなく、「＋」状や「×」状でもよい。第３の実施の形態においては、切り込み２２を介してＩＣタグ６ｃをはさむ接着層５ａと接着層５ｂが接触可能になり、ＩＣチップ１３とアンテナ１５の接着層５ａと５ｂへの一体化が促進される。
【００３１】
第１の実施の形態における書籍１は、図１（ｂ）に示すように、ＩＣチップ１３とアンテナ１５とベースフィルム１７は、接着層５ａと５ｂによって囲まれている。接着層５ａと５ｂは難細裂性を持つため、古紙再生工程の離解工程において接着層５ａと５ｂは細裂化することはなく、ＩＣチップ１３やアンテナ１５の破片がパルプ懸濁液中に混入することはない。その後、除塵工程において、接着層５ａと５ｂとＩＣチップ１３とアンテナ１５とベースフィルム１７がまとめて除去される。そのため、再生パルプにＩＣチップ１３とアンテナ１５の破片が混入することがなくなる。
【００３２】
第１の実施の形態において、ＩＣタグ６ａのベースフィルム１７に孔２０を設けることにより、ベースフィルム１７の内部を接着層５ａと接着層５ｂが貫通することとなるため、両者の融合が、速やかかつ確実に行われる。第２の実施の形態においても同様の効果が得られる。
【００３３】
また、第３の実施の形態において、ＩＣタグ６ｃのアンテナ１５に切り込み２２を設けることで、アンテナ１５の内部を接着層５ａと５ｂが貫通するため、ＩＣチップ１３とアンテナ１５と接着層５ａと５ｂの一体化はより確実に行われる。古紙再生工程において、ＩＣチップ１３やアンテナ１５の除去が確実に行われ、再生パルプ中へのＩＣチップ１３とアンテナ１５の破片の混入をより防ぐことができる。
【００３４】
以上、添付図面を参照しながら、本発明にかかる書籍の好適な実施形態について説明したが、本発明は係る例に限定されない。当業者であれば、本願で開示した技術的思想の範疇内において、各種の変更例または修正例に想到しえることは明らかであり、それらについても当然に本発明の技術的範囲に属するものと了解される。
【図面の簡単な説明】
【００３５】
【図１】第１の実施の形態に係る書籍１の、（ａ）図２（ｅ）におけるＡ矢視図、（ｂ）図２（ｆ）におけるＢ矢視図。
【図２】第１の実施の形態に係る書籍１の製本工程を示す図。
【図３】ＩＣタグの各種の実施の形態を示す図。
【符号の説明】
【００３６】
１………書籍
４………丁合本
５………接着層
６………ＩＣタグ
７………ロールコーター
９………表紙
１１………折り目
１３………ＩＣチップ
１４………粘着層
１５………アンテナ
１７………ベースフィルム
２０………孔
２１………スプロケットホール
２２………切り込み
【図１】
0005272513.tif 000002
【図２】
0005272513.tif 000003
【図３】
0005272513.tif 000004